(57)【要約】【課題】図柄に深みのある立体感を有する装飾性に優れた合わせパネルの提供を目的とする。【解決手段】合わせパネルは、２枚の透光性パネルと、２枚の透光性パネルの間に透光性の中間樹脂材とを備え、中間樹脂材は、２枚の透光性パネルよりも透光性が低いものであり、２枚の透光性パネルの内、一方の透光性パネルの内側面にベース図柄となる一方の図柄を印刷してあり、他方の透光性パネルの内側面には一方の図柄を反転した他方の図柄を印刷してあることを特徴とする。  一方の図柄は、ベース図柄から少なくとも一色以上の色成分を抜いたものであり、他方の図柄は、一方の図柄において抜いた色成分のみを有するものにすると効果的である。【選択図】図１
2007031223.tif 000002
【特許請求の範囲】
【請求項１】
２枚の透光性パネルと、２枚の透光性パネルの間に透光性の中間樹脂材とを備え、
中間樹脂材は、２枚の透光性パネルよりも透光性が低いものであり、
２枚の透光性パネルの内、一方の透光性パネルの内側面にベース図柄となる一方の図柄を印刷してあり、
他方の透光性パネルの内側面には一方の図柄を反転した他方の図柄を印刷してあることを特徴とする合わせパネル。
【請求項２】
一方の図柄は、ベース図柄から少なくとも一色以上の色成分を抜いたものであり、
他方の図柄は、一方の図柄において抜いた色成分のみを有するものであることを特徴とする請求項１記載の合わせパネル。
【発明の詳細な説明】
【技術分野】
【０００１】
本発明は、２枚の透光性パネルの間に樹脂材を積層した装飾性の合わせパネルに関する。
【背景技術】
【０００２】
２枚の透明ガラス等のパネルの間に中間膜等の樹脂材を積層した装飾性合わせガラスは公知である。
特開平７−３０９６４３号公報には、２枚のガラス板の間に合成樹脂製の中間膜を積層し、２枚のガラス板の少なくとも一方の表面に転写印刷層を積層した合わせガラスを開示する。
しかし、転写印刷層は平面的であり、ガラス板越しに見ても深みが出ない。
特開２００２−４７３８号公報には、２枚のガラスの合わせ面にミラー効果を有するフイルム又はガラスと、印刷模様を形成したシートを介装する技術を開示する。
しかし、ミラー反射による反射性の意匠となり深みのある意匠とは言い難い。
【０００３】
【特許文献１】特開平７−３０９６４３号公報
【特許文献２】特開２００２−４７３８号公報
【発明の開示】
【発明が解決しようとする課題】
【０００４】
本発明は上記背景技術に鑑みて、図柄等に深みのある立体感を有する装飾性に優れた合わせパネルの提供を目的とする。
【課題を解決するための手段】
【０００５】
請求項１に記載の発明に係る合わせパネルは、２枚の透光性パネルと、２枚の透光性パネルの間に透光性の中間樹脂材とを備え、中間樹脂材は、２枚の透光性パネルよりも透光性が低いものであり、２枚の透光性パネルの内、一方の透光性パネルの内側面にベース図柄となる一方の図柄を印刷してあり、他方の透光性パネルの内側面には一方の図柄を反転した他方の図柄を印刷してあることを特徴とする。
ここで２枚の透光性パネルとは、それよりも透光性の低い中間樹脂材を挟み込むためのパネルをいい、例えば透明なガラス板や樹脂板が該当し、無色透明のみならず、有色透明であってもよく、２枚の透光性パネルの方が中間樹脂材よりも透光性が高い範囲で半透明であってもよい。
また中間樹脂材は、それを間に挟む２枚の透光性パネルよりも透光性を低く抑えることで、２枚の透光性パネルの内側面の一方の図柄と反転した他方の図柄の合成とにて、パネル越しに見る図柄に深みと立体感が生じる。
中間樹脂材は、白色系の透光材でも赤色や青色等の有色系の透光材でもよく、２枚のパネルの間に流し込む液状の樹脂でも、２枚のパネルの間に挟み込むフイルム状の樹脂でもよい。
【０００６】
一方の透光性パネルの内側面に一方の図柄を印刷し、他方の透光性パネルの内側面に一方の図柄を反転した他方の図柄を印刷してあるとは、一方の図柄と他方の図柄を対向させると重ね合う関係をいう。
ここで印刷とはスクリーン印刷、インクジェット印刷、転写印刷等の各種印刷手段を適用できる。
【０００７】
請求項２に記載の発明に係る合わせパネルは、一方の図柄は、ベース図柄から少なくとも一色以上の色成分を抜いたものであり、他方の図柄は、一方の図柄において抜いた色成分のみを有するものであることを特徴とする。
これは、基本のベース図柄から、この図柄を構成する色成分の一部（単一成分又は複数成分）を抜き取って一方の図柄とし、この抜き取った色成分のみを他方の図柄として取り出しかつそれを反転して、２枚の透光性パネルの内側面にそれぞれ印刷し、中間樹脂層を積層した合わせパネルである。
従って、ベース図柄とは色成分を２つに分離する前の図柄をいう。
【発明の効果】
【０００８】
本発明は、２枚の透光性パネルの一方の内側面に印刷した図柄に対して、他方のパネルの内側面に反転図柄を印刷し、この２枚の透光性パネルの間にそれよりも透光性の低い中間樹脂材を積層したことによりパネルに印刷した図柄に深みがある立体感が生じて意匠性が高い。
また、請求項２に記載の発明のように、ベース図柄を構成する色成分の内の少なくとも一色以上を抜き取った一方の図柄と、抜き取った色成分を他方の反転図柄としたことにより、図柄が対向した場合に、より深みが増す。
図柄を例えば大理石のような自然素材をモチーフにした場合に、本発明においては深みのある立体感が生じ、高価な実物の大理石を用いなくても安価に装飾性の高い合わせパネルを得ることができる。
【発明を実施するための最良の形態】
【０００９】
本発明に係る合わせパネルの代表的な実施例を以下図面に基づいて説明する。
図１に示すように、ガラス板、樹脂板等の透光性の有する一方の透光性パネル１０の合わせ内側面１０ａにベース図柄となる図柄１を印刷する。
これに対して、同様のガラス板、樹脂板等の透光性を有する他方の透光性パネル１１の合わせ内側面１１ａに図柄１を反転させた反転図柄２を印刷する。
図柄は大理石や御影石等の天然石調の柄、天然木目柄、幾何学模様等、深みが増すことで立体感が生じるものであれば特に限定する必要がない。
図柄１と反転図柄２との対向図柄が重ね合うようにし、この２枚のパネルの内側に液状の樹脂を注入して中間樹脂材１２を成し、合わせパネルを製作する。
２枚の透光性パネル１０、１１は、合わせ面に中間樹脂材１２を積層するためのパネルであって、一方のパネル、他方のパネルは単層パネルでも複層パネルでもよい。
また、中間樹脂材１２は両側のパネルよりも透光性を低くすることで透過光により深みが生じるようにしたものであり、ポリビニルブチラール等の加熱圧着性のフィルム状中間樹脂材でもよく、アクリル系樹脂等の液状の樹脂を流し込み接合し中間樹脂材としてもよい。
中間樹脂材を液状タイプにした場合には、アクリル系等の透明な樹脂ベース材に白色又は有色系顔料を０．３〜５．０質量％含有するのが良く、好ましくは０．３〜１．５質量％含有した半透明体がよい。
また、中間樹脂材の厚みも図柄の大きさや用途により選定できるが、厚さ０．５〜４．０ｍｍ、好ましくは１．０〜３．０ｍｍの範囲が自然に近い深みがでる。
【００１０】
図２に他の実施例を示す。
ベース図柄１を構成する色成分の内の少なくとも一色以上の色成分を抜き取ったものを一方の分離図柄１ａとし、ここで抜き取った色成分のみからなる図柄を他方の分離図柄１ｂにし、２ｂのように反転した図柄にする。
なお、図２に示した例は、一方の分離図柄１ａはベース図柄から一色の色成分を抜き取ったものであり、抜き取った色成分のみからなる分離図柄１ｂより色成分数が多いが、反転させる分離図柄１ｂの方の色成分数が多い場合でもよい。
１ａの分離図柄を一方の透光性パネル１０の合わせ内側面１０ａに印刷し、２ｂの反転した分離図柄を他方の透光性パネル１１の合わせ内側面１１ａに印刷し、図柄が重ね合うようにして、その間に図１の実施例と同様に液状の樹脂を注入し、接合して合わせパネルとした。
これにより、パネルを透過してきた光によって深みがある立体感を得ることができる。
また、一方の図柄と他方の反転図柄は重ね合うように対向させてもよいが、図柄模様によっては光干渉が生じるように少し相互にずらしてもよい。
【図面の簡単な説明】
【００１１】
【図１】２枚のパネルの合わせ内側面に図柄と反転図柄を対向させた合わせパネルの例を示す。
【図２】ベース図柄を構成する色成分を２つに分離した場合の合わせパネルの例を示す。
【符号の説明】
【００１２】
１    図柄
２    反転図柄
１０  一方の透光性パネル
１１  他方の透光性パネル
１２  中間樹脂材
【図１】
2007031223.tif 000003
【図２】
2007031223.tif 000004